Podtech/llm-jp-corpus-v4-ja_patent huggingface dataset:
(57)【要約】      （修正有）【課題】変化の遅い自然現象を長時間撮影し短時間で再生可能としたりスポーツ映像などのスローモーション撮影を可能にする。【解決手段】デジタルカメラでの動画撮影時に１５コマ／秒程度の取り込み基本タイマー以外に任意で１コマの取り込み時間を設定できる任意設定可能なタイマーを追加する。【選択図】図１
2004215212.tif 000002
【特許請求の範囲】
【請求項１】
デジタルカメラの動画撮影機構の１コマの取り込み時間を可変とし長時間の現象を少ないコマ数で撮影し短時間再生可能とするシステム
【請求項２】
デジタルカメラの動画撮影機構の１コマの取り込み時間を可変としスポーツ撮影時などのスローモーション撮影を可能とするシステム
【発明の詳細な説明】
従来のデジタルカメラでは通常の映像取り込みコマ数が１２〜１８枚／秒程度で半固定化されているので  以下の事例の様な長期の現象を記録し短時間で再生する事は  編集時に特別の機器を使用するか  膨大な時間と労力を費やして不要な部分のコマ落としを必要とし一般的には不可能に近かった
１：花の種子を蒔いて、発芽から開花までの記録
２：魚の卵から孵化までの記録ｅｔｃ
この様な自然現象を簡単に記録、再生出来ることを可能にするのが本発明である
またスポーツ撮影時などのスローモーション撮影も可能とする発明である具体的な方法としては取り込みコマ数を任意に可変とする
再生速度を１５コマ／秒として数例を挙げれば
３：１コマ／秒にすると１時間分の記録現象は４分間で再生が可能
４：１コマ／３０秒で２４時間分の記録現象は１９２秒で再生が可能
５：３０コマ／秒では１０秒間の記録は２０秒の再生となり２倍のスローモーション撮影となる
この様に１コマ当たりの取り込み時間を可変にすることで  任意の時間軸の現象を希望する再生時間で撮影する事が可能となる
この結果自然現象の長時間記録撮影も容易になり  スポーツ撮影時などのスローモーション撮影も容易になるので家庭向けばかりで無く  教育現場等での利用価値も大幅に向上する
【図面の簡単な説明】
【図１】本発明案の基本概念図である
１：レンズに入った映像を  ２：ＣＣＤ→各行程経過デジタル信号化された情報→６：記録部に  記録するタイミングタイマーを５：タイマー選定部で３：基本タイマー（１５コマ／秒程度の従来方式）４：任意設定可変タイマー
（１コマ／任意の設定時間）のどちらかから選定し従来通りの動画記録か長時間記録またはスローモーション撮影かをを選定する
【符号の説明】
１：レンズ
２：ＣＣＤ
３：基本タイマー
４：任意設定可変タイマー
または基本タイマーからの任意の演算結果
５：タイマー選定部
６：記録部（メモリーカード、スマートメデアｅｔｃの記憶装置）
【図１】
2004215212.tif 000003
(57)【要約】【課題】マイナスイオンを発生させる農畜産用ガスヒータを提供する。【解決手段】農畜産用ガスヒータは反射傘１２の内側にガスバーナ１４が配置され、バーナヘッド１４ａを囲むように輻射熱板２４が設けられている。反射傘１２と輻射熱板２４にはトルマリンの層３０が塗布されている。加熱時にトルマリンの層３０からマイナスイオンが発生し、子豚に良い影響を与えることができる。【選択図】        図１
2004215535.tif 000002
【特許請求の範囲】
【請求項１】
ガスバーナと、ガスバーナを覆って配置される反射傘と、ガスバーナの上方に配置された輻射熱板とを有する農畜産用ガスヒータにおいて、前記反射傘および前記輻射熱板のすくなくとも一方にマイナスイオンを発生するマイナスイオン発生物質を塗布したことを特徴とする農畜産用ガスヒータ。
【請求項２】
前記マイナスイオン発生物質は、トルマリンであることを特徴とする請求項１記載の農畜産用ガスヒータ。
【請求項３】
前記マイナスイオン発生物質は、貴寳石であることを特徴とする請求項１記載の農畜産用ガスヒータ。
【発明の詳細な説明】
【０００１】
【発明の属する技術分野】
本発明は、農畜産用ガスヒータに関し、特に、マイナスイオンを発生する農畜産用ガスヒータに関する。
【０００２】
【従来の技術】
農畜産業における暖房には、ガスヒータが低燃費のため広く使用されている。たとえば養豚においては年間を通じて豚舎を暖かく保つ必要があるが、プロパンガスを用いたガスヒータはその暖房効率が高く、またプロパンガスの燃焼によって発生する水分により豚舎の湿度が十分に保持されるため、このような用途に用いられている。
【０００３】
一方、空気マイナスイオンの発生により生物に好影響を与えることが知られており、たとえば非特許文献１にマイナスイオンによる効果が種々記載されている。
【０００４】
【非特許文献１】
琉子友男・佐々木久夫編著、日本住宅環境医学会監修「空気マイナスイオン応用事典」人間と歴史社
【０００５】
【発明が解決しようとする課題】
上記のガスヒータによる豚舎等の暖房においても、さらに良好な養豚環境が望まれる。本発明はガスヒータによる暖房に加えてマイナスイオンを発生させることによりさらに良好な養豚等の環境を提供できる農畜産用ガスヒータを提供することを目的とする。
【０００６】
【課題を解決するための手段】
請求項１に記載の農畜産用ガスヒータは、ガスバーナと、ガスバーナを覆って配置される反射傘と、ガスバーナの上方に配置された輻射熱板とを有する農畜産用ガスヒータにおいて、前記反射傘および前記輻射熱板のすくなくとも一方にマイナスイオンを発生するマイナスイオン発生物質を塗布したことを特徴とする。
【０００７】
請求項２に記載の農畜産用ガスヒータは、前記マイナスイオン発生物質が、トルマリンであることを特徴とする。
【０００８】
請求項３に記載の農畜産用ガスヒータは、前記マイナスイオン発生物質が、貴寳石であることを特徴とする。
【０００９】
【発明の実施の形態】
次に本発明の農畜産用ガスヒータの実施形態を説明する。
図１には、本発明による農畜産用ガスヒータの一実施形態が示されている。本ヒータは、ドーム状の反射傘１２の内側にガスバーナ１４が配置されている。反射傘１２は反射曲面としてパラボラ曲線が用いられる。ガスバーナ１４は、反射傘１２の中央部から吊り部材１６によって吊り下げられ、反射傘１２は吊りフック１８によって設置される豚舎の天井などに吊り下げられる。
【００１０】
ガスバーナ１４は、その上方に略円筒状のバーナヘッド１４ａを有し、バーナヘッド１４ａの周囲には、多数の炎孔１４ｂが設けられている。ガスバーナ１４の内部下方にはノズル１４ｃが上向きに配置され、ノズル１４ｃにはノズルパイプ２０が接続されている。ガスバーナ１４の下面には所定の数の空気孔２２ａが設けられたエアーキャップ２２（図２）が嵌め込まれている。
【００１１】
ノズルパイプ２０を通して供給されるプロパンガスがノズル１４ｃからガスバーナ１４内に噴出されると、ガスバーナ１４内に噴出されたガスは、その噴出力によってバーナ１４下方の空気孔２２ａから吸い込まれた空気とバーナ１４内で混合され、バーナヘッド１４ａの周囲に設けられた炎孔１４ｂから噴出され、燃焼される。周知のように、燃焼には、炎の周囲から供給される空気も用いられる。
【００１２】
ガスバーナ１４の上方にはバーナヘッド１４ａを囲むように、中空球状の輻射熱板２４が二重に設けられている。輻射熱板２４は、ガスの炎からの熱エネルギーを吸収し、子豚の吸収度が高い遠赤外線を放射する。
【００１３】
このようなガスヒータにおいて、反射傘１２の下面、すなわちガスバーナ１４から発生される熱および遠赤外線を反射する面には、図３の拡大図（ａ）に示すようにマイナスイオンを発生させるトルマリンの層３０が塗布されている。また、輻射熱板２４にも、図３の拡大図（ｂ）に示すようにトルマリンの層３０が塗布されている。
【００１４】
したがって、ガスバーナ１４からの熱が輻射熱板２４がガスの炎からの熱エネルギーを吸収するとトルマリンが加熱されてマイナスイオンが発生する。また、ガスバーナ１４からの熱が反射傘１２の下面で反射される際に塗布されたトルマリンが加熱され、トルマリンからマイナスイオンが発生し、熱とともに豚舎に拡散される。このようにマイナスイオンが発生することにより、養育される子豚が熱や遠赤外線とともにマイナスイオンを受けるので子豚の発育が促進される。
【００１５】
なお、上記の実施形態においては輻射熱板２４および反射傘１２の両方にトルマリンの層３０が塗布されているが、輻射熱板２４または反射傘１２の一方のみにトルマリンの層３０を設けてもよい。また、トルマリンの層３０に代えて、貴寳石その他のマイナスイオン発生物質を用いてもよい。
【００１６】
【発明の効果】
本発明によれば、ガスヒータにより暖房を行うとともに輻射熱板または反射傘からマイナスイオンが発生するため、マイナスイオンによって子豚等の養育に良い影響を与え、子豚等の発育がさらに促進される。
【図面の簡単な説明】
【図１】本発明による本発明による農畜産用ガスヒータの一実施形態を示す図である。
【図２】図１のヒータのエアーキャップの着脱を示す斜視図である。
【図３】（ａ）は反射傘１２に塗布されたトルマリンの層を示す部分拡大断面図、（ｂ）は輻射熱板２４に塗布されたトルマリンの層を示す部分拡大断面図である。
【符号の説明】
１２  反射傘
１４  ガスバーナ
２４  輻射熱板
３０  トルマリンの層
【図１】
2004215535.tif 000003
【図２】
2004215535.tif 000004
【図３】
2004215535.tif 000005
(57)【要約】【課題】炊き上がったご飯に合わせ酢をふりかければ、ご飯の水分の蒸発と共に旨みや味が抜けやすい。また酢を使用している事で刺激臭があった。【解決手段】酢のかわりに刺激臭のないシークァーサーを使用し、合わせ酢の旨みや味が抜けぬよう合わせ酢とご飯を蓋をして一緒に蒸し上げた。【特許請求の範囲】
【請求項１】
寿司飯に使用する酢の替わりにシークァーサーを使用し、合わせ酢（酢と調味料等を混ぜ合わせた物）をご飯と一緒に蒸し上げる事を特徴とする寿司飯。
【請求項２】
寿司飯に使用する酢の替わりにシークァーサーを使用し、合わせ酢を炊き上がった釜の中のご飯にかけ、蓋をし蒸し上げる事により旨みや味が蒸発することなくおいしく出来上がる事を特徴とする請求項１記載の寿司飯。
【発明の詳細な説明】
【０００１】
【発明が属する技術分野】
この発明は、寿司飯に使用する材料と作り方に関するものである。
【０００２】
【従来の技術】
従来の寿司飯の作り方は、炊き上がったご飯を熱いうちに寿司桶に広げ、合わせ酢をふりかけてかき混ぜる。
【０００３】
【発明が解決しようとする課題】
しかしながら、以上の従来技術によれば、広げた熱いご飯に合わせ酢をふりかければご飯の水分の蒸発と共に旨みや味が抜けやすい。また時間がたつにつれ酢の香りが刺激臭へと変化する。そこで、この発明は、旨みや味が抜けにくく、酢の刺激臭の無い、香りの良いシークァーサーを使ったおいしい寿司飯を提供する事を課題とする。
【０００４】
【課題を解決するための手段】
以上の課題を解決するために、酢の替わりにシークァーサーを使用することで刺激臭の代わりに柑橘系の芳醇な香りが味わえ、合わせ酢を炊き上がった釜の中のご飯にかけ、蓋をし蒸し上げる事で旨みや味が抜けにくくおいしく出来上がることを特徴とする寿司飯。
【０００５】
【発明の実施の形態】
シークァーサー、酒、塩、砂糖、化学調味料等を手鍋に入れ火にかけ、合わせ酢を作る。それを炊き上がった釜の中のご飯にかけ、蓋をして数分蒸し上げる。
【０００６】
【発明の効果】
以上説明したように、この発明によれば、シークァーサーを使用した合わせ酢をご飯と一緒に蒸す事で、香りの良いおいしい寿司飯を作り上げた。
(57)【要約】【課題】ビー玉を用いた容器に入れる飲料を液体のみとすることなく、ゼリー状の飲料の容器への充填を可能とする。【解決手段】ゼリー状飲料（５）内に、飲み口（７）を閉じるビー玉（４）を強制的に落下させて容器（１）を振り、ゼリー状飲料（５）をビー玉（４）で細かく砕く。これにより、ゼリー状飲料（５）を飲み口（７）より口にすることを可能とする。【選択図】          図２
2004215526.tif 000002
【特許請求の範囲】
【請求項１】
開口を有する容器本体と、該開口を閉じかつ飲み口を閉じるビー玉付きのキャップと、容器本体内に充填したゼリー状飲料を備え、ビー玉をゼリー状飲料内に落下させ、容器を振り、ビー玉によりゼリー状飲料を砕いた後、キャップの飲み口より出すことを特徴とする容器入り飲料。
【請求項２】
ゼリー状飲料がキャップからビー玉を落下させたとき、１〜２ｃｍゼリー状飲料内に沈む強度である請求項１記載の容器入り飲料。
【請求項３】
ゼリー状飲料が炭酸ガスを吸着している請求項２記載の容器入り飲料。
【請求項４】
キャップの飲み口からドリンクゼリーが出てくる請求項２又は３記載の容器入り飲料。
【発明の詳細な説明】
【０００１】
【発明の属する技術分野】
本発明は、容器入りゼリー状飲料に関する。
【０００２】
【従来の技術】
ラムネと呼ばれ、広く親しまれている炭酸入り飲料水は、容器の開口部の飲み口を閉じているビー玉を専用の治具（断面Ｔ形の木製又は合成樹脂製のもの）を用いて押し下げ、ビー玉を容器内に落下させることで、飲み口を開口させている。
【０００３】
このラムネは、ビー玉を容器内に落とすこと、落下したビー玉が再び飲み口を塞がないように注意深く扱うこと、冷えた炭酸入り飲料水をビー玉に気をつけながら飲むという楽しみのある飲料水である。このため、長い間、特に夏の飲み物として年齢を問わず人気を保っている。
【０００４】
【発明が解決しようとする課題】
前述した如く、これ迄親しまれているラムネは、ビー玉を炭酸入り飲料水内に落下させ、飲み口から抜け出る炭酸ガスの流れに抗して、容器を傾け、ビー玉の位置を調整しながら飲料を口にする楽しみを与えている。即ち、ビー玉は、飲み口を閉じる主な役割に加え、容器内のビー玉の位置を調整するという副次的楽しみを与えている。
【０００５】
ラムネを手にする人は、ビー玉によるさらなる別の楽しみを味わいながら飲料水を飲めればと願っているが、これ迄、この願いを満足させるものが提供されていない。
それ故に、本発明は、前述した従来技術の問題点を解消させることを解決すべき課題とする。
【０００６】
【課題を解決するための手段】
本発明は、前述した課題を解決するために、容器内の飲料をゼリー状とし、このゼリー状飲料をビー玉で砕いてドリンク状とし、飲料とさせる技術的手段を採用する。
【０００７】
この技術的手段の採用は、飲むときに、キャップ（栓）の飲み口を閉じるビー玉を治具で落下させ、その後、飲み口を手や治具で塞ぎながら、容器を振り、ビー玉で容器内のゼリー状飲料を砕きドリンク状とさせる。このドリンク状の飲料をキャップの飲み口より出し口にする。このように、本発明のゼリー状飲料は、容器を振りながら、ビー玉で砕き、或いは砕いてから口にするという楽しみが創出できる。
【０００８】
本発明によれば、開口を有する容器本体と、該開口を閉じかつ飲み口を閉じるビー玉付きのキャップと、容器本体内に充填したゼリー状飲料を備え、ビー玉をゼリー状飲料内に落下させ、容器を振り、ビー玉によりゼリー状飲料を砕いた後、キャップの飲み口より出すことを特徴とする容器入り飲料が提供される。
【０００９】
【発明の実施の形態】
図１に示すように、容器１は、その本体２の開口を、飲み口７を有するキャップ３で閉じたもので、飲み口７は、その容器本体の内部側でビー玉４で閉じられている構成を有す。
容器本体２とキャップ３は、好ましくは合成樹脂材で成形され、かつ容器本体２をガラス製、キャップ３を合成樹脂製としても良い。
図示例では、キャップ３と本体２とを別部材とし、キャップ３を本体２に螺着させているが、キャップ３と本体２とを一体成形してもよい。
【００１０】
容器本体２内には、ゼリー状の飲料５が充填される。ゼリー状飲料５は、好ましくはシロップに炭酸ガスを吸着させたもので、加熱殺菌される。
【００１１】
飲料を口にするには、先ず、断面Ｔ形の治具６をキャップ３の飲み口７の上方から飲み口７内へ押し込み、その先端で、ビー玉４をゼリー状飲料５内へ落下させる。
図２に示すように、治具６を飲み口７内へ差し込んだ状態で、容器１を上下左右に振り、ビー玉４を容器本体２の内壁面にぶっつけながら、ゼリー状の飲料５を砕き、細かくし、一部を液状とさせる。
【００１２】
ゼリー状の飲料５を好みの状態に砕いた後、図３に示すように、治具６を飲み口７から外し、ビー玉４を最下位に置き、飲み口７より飲料５を口にすることになる。
勿論、治具６を容器１から離し、手で飲み口７を閉じてもよい。
前述した如く、本発明によれば、容器１を振りながら、好みの状態に飲料５をビー玉４により砕いた後、口にする楽しみが提供される。
【００１３】
【実施例】
2004215526.tif 000003
【００１４】
該成分のものをシロップとさせ、炭酸ガスを吸着させて、炭酸入りゼリー状飲料とし、容器本体内に充填し、ビー玉付きのキャップによりその開口を閉じ、８５℃、１５分間の加熱殺菌をした。
ビー玉は、６．４ｇのものを用いた。ゼリー状飲料の強度はビー玉を落下させた際、１〜２ｃｍゼリー状飲料内に沈む大きさである。
【００１５】
容器入りゼリー状飲料を、家庭用冷蔵庫で一晩冷やした後、数回振って砕いた後、口にしたが、液体と固形物とが程良く混じり美味であった。
【００１６】
前述した実施例は、グレープフルーツ味の飲料であるが、マスカットやピーチ等のその他の果汁、お茶、健康食品、栄養剤等を主成分とさせることが出来る。
本発明によれば、ゼリー状のままでは、飲み口より出てこない固形物としてのゼリー状飲料を、ビー玉で砕くことにより口にすることができ、又、種々の組合せからなるゼリー状飲料を提供できる。
【図面の簡単な説明】
【図１】本発明の一例であって、治具を飲み口に差し込んだ状態を示す正面図である。
【図２】容器を振ってビー玉を壁に当てている状態を示す正面図である。
【図３】飲む状態の飲料を示す容器の正面図である。
【符号の説明】
１    容器
２    容器本体
３    キャップ
４    ビー玉
５    飲料
６    治具
７    飲み口
【図１】
2004215526.tif 000004
【図２】
2004215526.tif 000005
【図３】
2004215526.tif 000006
(57)【要約】【課題】柔らかい収容箱を活用して、釣り竿を適正に支持する機能と、釣り竿受け部材の着脱作業を容易に行い、収容箱に取り付けた状態でも移動が可能で、釣り竿の傾斜角を自在に調整でき、部品を紛失防止にすることを課題とする。【解決手段】柔らかい収容箱が折り曲らないように、脚部材と竿受け部材を取り付ける受け板が連結され一体になっているため着脱作業も簡略また安定性が図れる、受板と竿受けが重なりあうことで傾斜角の調整も可能になり、竿受けのがたつきもなくした、受け板に部品を連結することで部品の紛失防止になった。【選択図】      図１
2004215600.tif 000002
【特許請求の範囲】
【請求項１】
釣り竿を保持する竿受け部を備えた竿受け装置と、竿受けを支持する受け板の受片と脚部が連結形成されていて、一端が固定される受片の上部に少なくても１つのビラ片を有して開閉自在とし、ネジ下部は受片支持孔と連通するなお、ビラ片は受片より抜け止めされてる、ビラ片に竿受け具の動止部が設けられていることを特徴とする請求項１記載の釣り竿支持具。
【発明の詳細な説明】
【０００１】
【発明が属する技術分野】
本発明は、魚釣りをするための竿受け装置に関する。
【０００２】
【従来の技術】
従来の魚釣り竿受け装置には、種々のものが提案されている。これら従来の釣り用竿受け装置は、安定した収容箱に取り付ける場合が多い。
【０００３】
しかしこれらは、柔らかい収容箱に取付けて使用するには、安定性にも欠けアンカーとしては欠点を有して、竿受け支持具には重くて使いにくい。
【０００４】
【発明が解決しようとする課題】
しかしながら、以上従来技術によれば、従来の魚釣り用竿受け装置では、柔らかい収容箱に使用するには、安定性に欠け、収容箱部材の弱さから従来の竿受け装置では欠点を有するそこで、この発明は、柔らかい収容箱をアンカーとして活用、弱い収容箱に耐える竿受け装置と、釣り竿を所望の傾斜角で保持できるように、また終了時には、簡単に竿受け部材を着脱可能とし、持ち運びにも邪魔にならないように、軽量、コンパクトなおかつ部品点数の増加を極力回避して、構造の簡略化を図り、かつ組立工数の増加を避け、余分な荷物を持ち歩かないように、餌収容箱を利用した釣り竿受け支持具を提供することを課題とする。
【０００５】
【課題を解決するための手段】
請求項１の発明は、釣り竿を保持する竿受け部を備えた竿受け装置と、竿受けを支持する受け板の受片と脚部が連結形成されていて、一端が固定される受片の上部に少なくても１つのビラ片を有して開閉自在とし、ネジ下部は受片支持孔と連通するなお、ビラ片は受片より抜け止めされてる、ビラ片に竿受け具の動止部が設けられていることによって安定して釣り竿を保持できるようにした。
【０００６】
【発明の実施の形態】
この発明の実施の形態を、図１に示すように、本発明、釣り竿支持具は、魚釣りで、まき餌を入れる収容箱１（以下、実施例の説明では、バッカン１という）に備えられた脚部２、と竿受具４である。
【０００７】
【実施例】
以下、本発明の実施例を図面に基づいて説明する。図１に示すように、本発明に係る釣り用竿受け装置は、魚釣りの餌収容箱に１（以下、実施例の説明では、バッカン１という）と、脚部に受け板を連結した部材２と竿受け部材６を具備している。
【０００８】
バッカン１は、一般に、エンカビニールで持ち手が付いた柔らかい収容箱で成形されている。バッカン１に取付けの脚部に竿受け取り付け受片、ビラ片で成形された長方形の受け板３が連結された脚部２に竿受け前後位置が変更可能な湾曲した竿受け部材６と、竿受け６の前端、後端に回動可能に取り付けられたＹ字形前端の竿受け７と、竿受け尻部８の後端に回動可能に取り付けられた？字形の後端尻の竿受け部８で構成されている。バッカン１の、持ち手付根の隙間部分に本発明の脚部２を挿入する、持ち手が無いバッカン１には、貼付部材１０を用いて保持孔を作ることで、脚部２を取り付けすることができる。脚部２はコ字形で脚部上部に受け板３と直角に連結形成されていて、バッカン１の側面曲りを脚部で押さえることで安定性が保て、竿受け止め板が脚部と連結されていることで、竿受けの安定なおかつ魚釣りでの作業が簡略できる。受け板３は、竿受け部材６の前後移動が可能な板であって板先端に、ビラ片４先端を止めるネジが板３に連通していて、ネジは半回転可能になっている、受け板で竿受けを挟み竿受けを前後することで、傾斜角の設定が自由で、ビラ片４先端にはネジの出入りを容易にしたコ字形の出入口持つ、ビラ片４裏のネジ出入口後方に竿受け部材の前後移動及びがたつき防止及びビラ片脱落防止のＩ板が設けられている。魚釣り終了時には、図１に示すように竿受け部材のＹ字前端と？後端部分を裏にして受け板で挟むことで邪魔にならなくて移動が可能。
【発明の効果】
以上説明したように、請求項１の発明によれば、柔らかい収容箱を強度な脚部材で側面をカバーすることで安定させ、収容箱をアンカーとして利用、脚部材に受け板一端が連結形成されていることで、竿受けの安定性が強化され、受板片とビラ片間に竿受け部材の合体で傾斜角の調整も可能になり、受け板に取り付けられている部品は落下防止に作られているため、足場の悪い場所でも落とす心配がなく、ビラ片に竿受け部材の動止部が設けられているため、竿受け部材のがたつきが防止されている、収容箱に装着した脚部材は軽量でコンパクトなので邪魔にならないそのため取り外す必要がないため、釣り場における着脱作業の簡略化を図り、竿受け部材の設定のみである。ようするに、バッカン１に脚部材を取り付けしておけば、海で竿受け部材２を釣り竿の傾斜角を決めてネジを締めるだけで魚釣りがすぐ行える。
【図面の簡単な説明】
【図１】本発明の実施例を示す斜視図（実施例１）である。
【図２】脚部材と受け板の断面図及び開閉図である。
【図３】脚部と受け板と竿受け部材の平面図である。
【図４】脚部と受け板竿受け部材の正面図である。
【符号の説明】
１  バッカン（収容箱）
２  脚部材
３  受け板（受片）
４  ビラ片（押さえ板）
６  竿受け部材
９  竿
１０  貼付部材
【図１】
2004215600.tif 000003
【図２】
2004215600.tif 000004
【図３】
2004215600.tif 000005
【図４】
2004215600.tif 000006
(57)【要約】【目的】一定量の無洗米と水の計量用カップとを一体化させた炊飯セットを提供する。【構成】本発明の炊飯セットは、一定量の無洗米を開閉可能なおむすび型容器に入れてなり、このおむすび型容器が水の計量用カップを兼ねることを特徴とする。無洗米の一定量とは、例えば１合、２合、３合・・・のように１合の整数倍が好ましい。おむすび型容器を開閉可能とするには、ひねり蓋は不向きであり、例えばはめ込み蓋にすることが好ましい。衝撃を受けて蓋がはずれないようにするとともに、他人のいたずらを避けるため、販売時にはおむすび型容器全体をヒートシュリンクフィルムなどで覆うのが好ましい。この容器を水の計量用カップとするには、次のような方法がある。（１）蓋を取った状態で縁まで水を入れたとき、１合、２合、３合・・・等包装された米を炊くのに必要な水量となる大きさとする。（２）容器の側部に計量用の目盛りを設ける。【選択図】  図１
2004215584.tif 000002
【特許請求の範囲】
【請求項１】
一定量の無洗米を開閉可能なおむすび型容器に入れてなり、このおむすび型容器が水の計量用カップを兼ねることを特徴とする炊飯セット。
【請求項２】
前記おむすび型容器がはめ込み蓋により開閉可能となっている請求項１記載の炊飯セット。
【請求項３】
蓋を取った状態で縁まで水を入れたとき、包装された米を炊くのに必要な水量となる大きさの容器を使用する請求項１又は２記載の炊飯セット。
【請求項４】
計量用の目盛りを設けた容器を使用する請求項１又は２記載の炊飯セット。
【発明の詳細な説明】
【０００１】
【発明の属する技術分野】
本発明は炊飯セットに関する。特に、一定量の無洗米と水の計量用カップとを一体化させた炊飯セットに関する。
【０００２】
【従来の技術】
無洗米の急速な普及により、米をとぐ作業が省略可能となった。そのことを利用して、一定量の無洗米と炊飯に必要な水を予めセットにした炊飯セットが提案されている（下記特許文献１）。
【０００３】
【特許文献１】特開平７−１０７９２９
【０００４】
【発明が解決しようとする課題】
上記発明の炊飯セットでは、水が相当の重量を占めてしまうとともに雑菌等による水の変質のおそれがあるので、キャンプ地や被災地などで安全な水が得がたい場所を除き、あまり適切とはいえない。そこで本発明では、水は炊飯セットから水を除外し、その代わり、包装容器が水の計量用容器を兼ねるものとすることにして、本発明を完成させた。
【０００５】
【課題を解決するための手段】
本発明の炊飯セットは、一定量の無洗米を開閉可能なおむすび型容器に入れてなり、このおむすび型容器が水の計量用カップを兼ねることを特徴とする。
【０００６】
【発明の実施の態様】
無洗米の一定量とは、例えば１合、２合、３合・・・のように１合の整数倍が好ましい。
【０００７】
おむすび型容器を開閉可能とするには、ひねり蓋は不向きであり、はめ込み蓋にすることが好ましい。衝撃を受けて蓋がはずれないようにするとともに、他人のいたずらを避けるため、販売時にはおむすび型容器全体をヒートシュリンクフィルムなどで覆うのが好ましい。
【０００８】
この容器を水の計量用カップとするには、次のような方法がある。
（１）蓋を取った状態で縁まで水を入れたとき、１合、２合、３合・・・等包装された米を炊くのに必要な水量となる大きさとする。
（２）容器の側部に計量用の目盛りを設ける。
【０００９】
容器の材質はプラスチックが最適であるが、その他、木製、紙製であってもよい。
【００１０】
【実施例】
以下、添付の図面に基づき本発明の実施例を説明する。
【００１１】
図１は、本発明の１実施例に係る炊飯セットの斜視図であり、蓋を取った状態の容器である。これからわかるように本発明の炊飯セットはおむすび型の容器１０を有する。この容器本体１１の上部にははめ込み式の蓋１２が取り付けられている。また、側部には水の計量用の目盛り１３がつけられている。
【００１２】
図２に示すように、この容器１０には１合の無洗米１４が収容され、その状態で蓋により密閉される。販売時にはその上からヒートシュリンク包装（図示せず）される。
【００１３】
使用時には、容器から無洗米を取り出し炊飯釜に入れ、さらに容器を水の計量カップとして使用して必要量の水も炊飯釜に入れる。
【００１４】
なお、水の計量用の目盛りはなくても、容器の縁まで入れたときに炊飯に必要な水量となるようにしてもよい。
【００１５】
【発明の効果】
本発明によれば次のような効果が得られる。
（１）一定量の無洗米が予め容器に入れられているので、米の計量も研ぎも必要ない。
（２）炊飯に必要な水の計量もこの容器により可能である。
（３）容器の形状がおむすび型なので、収容物の内容・用途が理解しやすい。
（４）コンビニやスーパーなどで陳列するとき、形状による宣伝効果が高い。
【図面の簡単な説明】
【図１】本発明の１実施例に係る炊飯セットの斜視図であり、蓋を取った状態の容器である。
【図２】本発明の１実施例に係る炊飯セットの断面図である。
【符号の説明】
１０          おむすび型容器
１１          容器本体
１２          蓋
１３          目盛り
１４          無洗米
【図１】
2004215584.tif 000003
【図２】
2004215584.tif 000004
(57)【要約】      （修正有）【課頭】近年内海水質の汚染によるカキ養殖の被害実例も多く，しいては，積極的に養殖漁場の環境改善を行い，植物プランクトン，藻類などの増殖を図り良質且つ安定した養殖技術に対処に対して，炭化物物質を活用して解決したい。【解決手段】カキ養殖を行う現代技術で行われている針金による吊し垂れ連結ホタテ貝等を一定間隔保持用として使用するワッカ類４を炭化物カーボン化物質にすることによって解決することによる。【選択図】  図１
2004215629.tif 000002
【特許請求の範囲】
【請求項１】
一般的にカキ等の養殖にあたって，杉，檜，竹，等で作られた浮上筏に養殖のために針金などを通して吊されるホタテ貝，その他盤状のものを一定間隔に保持するため使われるワッカ，或いはパイプ類の表面を有機性炭化物粉体を耐水性凝固剤でコーティング固着カーボン化たもの。
【発明の詳細な説明】
【０００１】
【発明の属する技術分野  】
本発明は炭化物の特性をカキ養殖における海水環境に活用して，カキの良質，且つ安定増産することに寄与する技術。
【０００２】
【従来の技術  】
杉，竹等で作られた浮上筏に針金などわ通して吊される種付けホタテ貝，或いは種付盤を一定間隔を保つために使われる耐食性のワッカ，又はパイプ類で連結吊垂法のみであって，積極的に水質浄化，養殖環境の創出策はとられていない。
【０００３】
【発明が解決しようとする課題  】
種付けしたホタテ貝又は種付け盤を簡易垂れ下げ式，筏式，延縄式によるカキ養殖で，ホタテ貝，或いは養殖盤を一定間隔に保持するワッカ，又パイプ類を有機性炭化物カーボン化することによって，海水汚濁，赤潮発生要因等を排除する環境改善物質として活用することを目的としている。
【０００４】
【課題を解決するための手段  】
一定間隔の連結保持に使用するワッカ又はパイプ状のものを一定の厚みに炭化物のコーティング仕上げを施し，炭化物物質の特性を活かすことによって，人工的にカキ筏の吊垂養殖カキ或いは延縄養殖カキの稚カキ育成，成長に必要な植物プランクトン及び藻類等の繁殖を促し，赤潮等の対策としても海水汚染の浄化効果を図り，良質且つ安定増産することできる。
【０００５】
【発明の実施の形態】
カキワッカは普通塩ビパイプが耐食性であることから使用されている，この塩ビパイプに炭化コーキングして炭化物化するためには表面が剥離しがたい形状にすると共に炭化物粉体と固着凝固剤との配合を精度化し，数段階で吹き付け，塗り付けを行い，更には貸与期間を増すためには細糸ネットを植え込むこともある。
【０００６】
ホタテ貝等に通した針金に１０〜２０ｃｍの炭化カーボンワッカを交互に挟み海中に吊り垂らすことによって，アンモニア性窒素等の除去作用，その他多くの浄化効果機能によって，ホタテ貝に付着した稚カキ周辺のカキ生息成長環境を常時備えることになる。
【０００７】
【発明の効果】
カキなどをカキ棚吊垂養殖，延縄養殖における環境改善によって良質にして安定増産に寄与すること。
【図面の簡単な説明】
【図１】本発明の斜視図
【図２】本発明の使用斜視図
【符号の説明】
１  カキ棚
２  種付きホタテ貝
３  針金
４  ワッカ又はパイプ類
５  炭化物
６  縄又はロープ類
７  カーボンワッカ
【図１】
2004215629.tif 000003
【図２】
2004215629.tif 000004
(57)【要約】【課題】【目的】大豆発酵テンペもしくははと麦発酵テンペを黒豆加工食品に少量混入し食用に加工することにより、元の素材をより美味にすることで問題を解決する。【解決手段】黒豆加工食品を製造する際に少量の大豆発酵テンペもしくははと麦発酵テンペを混入することにより拮抗作用により元の素材の味が更に美味になる。【特許請求の範囲】
【請求項１】
大豆発酵テンペを加えた黒豆加工食品。
【請求項２】
請求項１の大豆発酵テンペの代わりにはと麦発酵テンペを加えた請求項１の黒豆加工食品
【発明の詳細な説明】
【０００１】
【産業上の利用分野】
この発明は黒豆加工食品に大豆発酵テンペもしくははと麦発酵テンペを加えることにより相互の拮抗作用により元の素材以上の味を引き出すことにある。例えば味噌の加工の場合黒豆で味噌を製造した場合，黒豆の皮が厚いためそのままでは発酵しにくいため製造されなかったがテンペを加えることにより皮が細分化されて発酵を促し大豆使用の味噌と変わりなく味が良くなり，また油分を分解するので健康的な食品を作ることが出来る。
【０００２】
【従来の技術】
従来大豆発酵テンペもしくははと麦発酵テンペを加えた黒豆発酵加工食品は市場に存在しない。
【０００３】
【発明が解決しようとする課題】
この発明の目的は従来市場に無かった黒豆発酵加工食品に大豆発酵テンペもしくははと麦発酵テンペを加えることにより発酵を促し且つ美味に加工することにある。
【０００４】
【課題を解決するための手段】
この発明を達成するためには大豆発酵テンペ若しくははと麦発酵テンペを黒豆加工食品，例えば黒豆を使用した味噌を製造する場合にテンペを加えて加工するとテンペを加えなかったものに比べ黒豆の皮が細分化され発酵を促し大豆を使用した味噌に比べ美味に加工できる。
【発明の効果】
以上の説明のようにこの発明によれば大豆発酵テンペ若しくははと麦発酵テンペを黒豆加工食品に加えることによりテンペを加えなかったものに比べ簡単に美味、且つ油の分解作用により健康的な食品を生成することが可能になる。
(57)【要約】【課題】  サンゴを用いた新規な食品加工方法等を提供する。【解決手段】  脂肪を含む食品に乾燥粉粒状のサンゴを添加し、該サンゴのアルカリ性で前記脂肪の中和分解を生ぜしめることにより、前記脂肪を含む食品の食味をサンゴ添加前よりさっぱりとさせるとともに、前記食品における脂肪独特のベタつきを和らげる。この加工方法により得られた食品によれば、食味がさっぱりしてベタつきが和らげられているだけでなく、前記脂肪と前記サンゴとの結合物が腸から吸収されにくいため、そのまま体外へ排出されるので肥満防止効果があり、また、前記結合物の排出に伴い、体内の老廃物の迅速排泄効果ももたらされる。【選択図】    なし【特許請求の範囲】
【請求項１】
脂肪を含む食品に乾燥粉粒状のサンゴを添加し、該サンゴのアルカリ性で前記脂肪の中和分解を生ぜしめることにより、前記脂肪を含む食品の食味をサンゴ添加前よりさっぱりとさせるとともに、前記食品における脂肪独特のベタつきを和らげることを特徴とする、食品加工方法。
【請求項２】
脂肪を含む食品に乾燥粉粒状のサンゴを添加し、該サンゴのアルカリ性で前記脂肪の中和分解を生ぜしめることにより、前記脂肪を含む食品の食味をサンゴ添加前よりさっぱりとさせるとともに、前記食品における脂肪独特のベタつきを和らげ、さらに、前記脂肪と前記サンゴとの結合物が腸から吸収されにくいためにそのまま体外へ排出されることにより、体内の老廃物の迅速排泄をもたらすことを特徴とする、乾燥粉粒状サンゴの使用方法。
【請求項３】
マヨネーズに乾燥粉粒状のサンゴが添加され、飲食前の状態において前記サンゴのアルカリ性により前記マヨネーズの脂肪が中和されているとともに、前記サンゴの成分と前記脂肪とが結合し、前記サンゴの添加前よりベタつきが和らげられ食味がさっぱりしている、中和マヨネーズ。
【請求項４】
牛乳に乾燥粉粒状のサンゴが添加され、飲食前の状態において前記サンゴのアルカリ性により前記牛乳の脂肪が中和されているとともに、前記サンゴの成分と前記脂肪とが結合し、前記サンゴの添加前よりベタつきが和らげられ食味がさっぱりしている、中和牛乳。
【発明の詳細な説明】
【技術分野】
【０００１】
本発明は、サンゴを用いた食品加工方法及び乾燥粉粒状サンゴの使用方法に関するものである。本発明はまた、これらの方法により得られる中和マヨネーズ及び中和牛乳に関するものである。
【背景技術】
【０００２】
人体にミネラル分であるカルシウム、マグネシウム、ナトリウム、カリウム等が不足した場合には、脳梗塞、心筋梗塞、高血圧及び糖尿病等の成人病、肝臓病、白内障、腎臓病及び骨粗しょう症等をまねくとともに肩こりや偏頭痛、子供の引きつけや老人ボケ等の原因となることが判明している。
【０００３】
従来、魚、海獣又はサンゴの骨を熱処理して食品用添加剤等として使用する粉末カルシウム化合物の製造法が提案されている（特許文献１参照）。
【特許文献１】特開昭５７−１２５６７６号公報
【特許文献２】特開平７−１９４３３８号公報
【特許文献３】特開昭６３−１４８９５７号公報
【特許文献４】特開平７−１７０９３９号公報
【発明の開示】
【発明が解決しようとする課題】
【０００４】
前記従来の粉末カルシウム化合物の製造法には、実施例として鯨の骨を粉砕した例が示されている。
【０００５】
本発明は、各種のミネラル分を含むサンゴに脂肪（油）の中和分解作用があることに注目し、サンゴを用いた新規な食品加工方法及び乾燥粉末状サンゴの使用方法を提供しようとするものである。
【０００６】
本発明はまた、前記方法により得られる中和マヨネーズ及び中和牛乳を提供しようとするものである。
【課題を解決するための手段】
【０００７】
前記目的を達成するため、本発明に係る食品加工方法は、脂肪を含む食品に、乾燥粉粒状のサンゴを添加し、該サンゴのアルカリ性で前記脂肪の中和分解を生ぜしめることにより、前記脂肪を含む食品の食味をサンゴ添加前よりさっぱりとさせるとともに、前記食品における脂肪独特のベタつきを和らげることを特徴としている（請求項１）。
【０００８】
また、本発明に係る乾燥粉粒状サンゴの使用方法は、脂肪を含む食品に乾燥粉粒状のサンゴを添加し、該サンゴのアルカリ性で前記脂肪の中和分解を生ぜしめることにより、前記脂肪を含む食品の食味をサンゴ添加前よりさっぱりとさせるとともに、前記食品における脂肪独特のベタつきを和らげ、さらに、前記脂肪と前記サンゴとの結合物が腸から吸収されにくいためにそのまま体外へ排出されることにより、体内の老廃物の迅速排泄をもたらすことを特徴としている（請求項２）。
【０００９】
本発明に係る中和マヨネーズは、マヨネーズに乾燥粉粒状のサンゴが添加され、飲食前の状態において前記サンゴのアルカリ性により前記マヨネーズの脂肪が中和されているとともに、前記サンゴの成分と前記脂肪とが結合し、前記サンゴの添加前よりベタつきが和らげられ食味がさっぱりしていることを特徴としている（請求項３）。
【００１０】
また、本発明に係る中和牛乳は、牛乳に乾燥粉粒状のサンゴが添加され、飲食前の状態において前記サンゴのアルカリ性により前記牛乳の脂肪が中和されているとともに、前記サンゴの成分と前記脂肪とが結合し、前記サンゴの添加前よりベタつきが和らげられ食味がさっぱりしていることを特徴としている（請求項４）。
【００１１】
サンゴによる脂肪（油）の中和分解作用について述べると、サンゴがアルカリ性であるため、そこに含まれるカルシウム、マグネシウム等のミネラル分によって酸性の脂肪（油）分が中和され、さらに脂肪（油）独特のベタつきや強い酸味も和らげられ、食した後でも口の中がサッパリと円やかで嫌な味が残らない食品となる。
【００１２】
同時に、ミネラル材（サンゴ）と脂肪（油）との結合も行われ、該結合物は腸から吸収されにくいので、そのまま対外に排出され、したがって、脂肪（油）が体内に蓄積されることがなく肥満防止効果もある。これらの作用は、同時に体内の老廃物の迅速排泄効果をももたらす。
【００１３】
本発明によれば、脂肪（油）の中和分解作用及び体内の老廃物の迅速排泄作用効果が得られ、肥満防止とともに美味改善が行われ、健康増進に役立つ。
【００１４】
なお、本発明において、「食品」には「飲料」が含まれる。
【発明を実施するための最良の形態】
【００１５】
以下、本発明を実施するための最良の形態について説明する。まず、サンゴの成分について説明すると、サンゴは炭酸カルシウムを主成分とし、カルシウム約５０％、炭酸根約４０％、マグネシウム、ナトリウム、カリウム、その他のミネラル分を含んでいる。
【００１６】
本発明では、前記の如きサンゴを水洗したのち、乾燥させて粉粒状とする。すなわち、もともと砂状のサンゴもあるが、骨状あるいは粒子の大きなサンゴは、例えば、機械的に衝撃を加える等して粉粒状とされ、さらには機械的な衝撃を加える前に加熱等して粉粒化を促進させてもよい。
【００１７】
前記粉粒状サンゴは、例えば、マヨネーズ、ピザ、ケーキ等の食品、牛乳、その他の飲料に添加することにより、それらの食品、飲料に含まれる脂肪（油）分を中和し、同時に美味改善が行われ、口当たりがよくなる。
【００１８】
また、体内に入った脂肪（油）分も、中和分解され、あるいは粉粒状のミネラル材（サンゴ）と結合して腸から吸収されにくくなるので身体の細胞に付着することがなく、体外に排泄され、肥満防止効果及び老廃物の排泄効果が得られ、健康増進に役立つ。
(57)【要約】【課題】米、などの穀物をより食べやすく、手軽に持ち運びでき、さらに楽しむことのできる板状食品を提供する。【解決手段】米等穀物とつなぎ材を混ぜ、その後加熱することにより米等穀物の風味、食感を失わずに、粘着力、強度をつけ、板状に成形させることを特徴とする。【特許請求の範囲】
【請求項１】
炊く、蒸す、あるいは焼く等の下処理をした米等の穀物と、浮き粉、餅粉、米粉等を水溶化した適量のつなぎ材を混合し、適温で加熱処理し、板状に成型したことを特徴とする、米等穀物の板状食品。
【請求項２】
炊く、あるいは蒸す、あるいは焼く等の下処理をした米等の穀物に、浮き粉、餅粉、米粉等を水溶化した適量のつなぎ材を混ぜ合わせ、それを板状の型に入れ、適温で加熱処理をすることによって、板状に成型することを特徴とする、米等穀物の板状食品の製造方法。
【発明の詳細な説明】
【０００１】
【発明の属する技術分野】
この発明は、米等穀物をその風味風合いを損なうことなく、より楽しく食べやすくするために、板状に成形する米等穀物の板状食品と製造方法に関するものである。
【０００２】
【従来の技術】
従来、米等穀物の加工品の形状としてはおにぎり、すし、海苔巻きなどあるが、それらは一定量の厚みで圧力を加え押し固めてつくられ、主に一つの加工品に対し一つの具材という形態で提供されている。
【０００３】
【発明が解決しようとする課題】
これは次のような欠点があった。
米等穀物に圧力をかけて押し固めることでまとめているが、
イ  厚みがあるため大きく口を開かなくてはならず食べにくい
ロ  食べている途中で崩れやすい
ハ  携帯しにくい（特にハンドバッグなどには収まりにくい）
ニ  具材に変化が乏しい
ホ  パン食等に比べ地味なイメージで定着している
本発明は以上の欠点を解決し、米等穀物食の新しい食場面を提供するためになされたものである。
【０００４】
【課題を解決するための手段】
米等穀物につなぎ材を混ぜ、その後加熱することにより強度をつけ、米等穀物の風味食感を失わずに、板状に成形する。以上の製造方法からなることを特徴とする米等穀物の板状食品と製造方法である。
【０００５】
【発明の実施の形態】
以下、本発明の実施の形態について説明する。
第１工程  米等穀物をそれぞれの特性に応じて炊く、蒸す、焼くなどの下処理をほどこす。
第２工程  上記の米等穀物にそれぞれの特性に応じた浮き粉、餅粉、米粉などをそのまま又は水溶したつなぎ材を３〜３０％加えて混ぜる。
第３工程  第２工程を経たものを角形の型にいれ、それぞれの特性に応じ１５０℃〜３００℃のオーブン又は１００℃の蒸気で処理する。
つなぎ材をいれ焼成又は蒸すことにより、米等穀物の風味食感を失わずに、成形時における型くずれを防ぎ、粘着力や強度を与える。
なお、この処理方法は多種ある米等穀物のそれぞれの特性に応じて応用することができる。
【０００６】
【発明の効果】
米等穀物と浮き粉、餅粉、米粉などを水に溶したつなぎ材を混ぜ、その後加熱することによりそれらに含有されているでんぷん質が粘着力を高めることで強度をつけ、米等穀物の風味、食感を失わずに、板状に成形することができる。その効果として、食べている途中でばらばらに崩れにくくなり、厚みも薄く食べやすい。
薄型に成形してあるためバッグなどに入れての持ち運びに便利であるため、携帯食としても適している。
いろいろな具材を乗せたり、塗ったり又、サンドウィッチのようにはさんだりして様々な変化を楽しむことができる。
これにより地味で質素なイメージのある米等穀物食品を彩りよく華やかにする事できる。
(57)【要約】〔課題〕  喫煙マナー違反によって生じる、不注意による他人への危害及び衣服のこげ、吸い殻のポイステによる火事、街の汚れ等の問題が顕在化している。この問題の解決方法として教育的な方法も考えられるが現実に効果が出ている携帯灰皿のような喫煙具によって解決を図ることが効果的である、したがって上記問題解決に継がり且つ独創性の高い喫煙具を提供する。〔解決手段〕  本発明は、上記問題を解決すべく発火部は外部に露出しないよう煙草をパイプ内に収め、吸い殻は吸い殻溜りに溜め所定場所へ捨てるさらにライターも一体收納しその上万年筆型で携帯式等の多機能な喫煙具によって利便性が高められ多数の人が使用することによって問題解決が図られる。【選択図】  図１
2004215645.tif 000002
【特許請求の範囲】
【請求項１】
公知煙草をパイプ内に收納し、フィルタを外に出して直接喫煙する喫煙具に於いて、吸排気を兼ねた挿入口を形成して、且つフィルタを抑えるフィルタ固定具、その挿入口を密封する栓、灰を外部に落とさずに吸排気を制御する吸排気具、そして吸い殻の受皿となる吸い殻溜り具をそれぞれ必要な部位に有機的に構成したことを特徴とする喫煙具。
【請求項２】
煙草の位置決め及びフィルタ温度低下を目的に挿入口７を形成のフィルタ受５・針６を、吸排気制御及び吸い殻を溜ることを目的とした伸縮する着脱可能なケース１・スリーブ２を、挿入口７からの灰・吸い殻の洩れ防止及び吸排気のしゃ断目的の栓９又はライターケース８を、そして発火熱による素手保持困難解消のための防熱用カバー１０を設けたことを特徴とする万年筆型携帯式の請求項１記載の喫煙具。
【請求項３】
フィルタ部位に着脱可能なライター収納を形成するライターケース８、パイプ４に兼用可能な栓９を設けたことを特徴とする請求項１請求項２記載の喫煙具。
【請求項４】
ライター本体１２に、栓１３及び万年筆型フック１４を一体構成にしたライターをパイプ４に備えたことを特徴とする請求項２記載の喫煙具。
【請求項５】
パイプ１８に電池１５、スイッチ１６及び発火体１７を構成した電池による着火を行なうことを特徴とする請求項１、請求項２記載の喫煙具。
【発明の詳細な説明】
【０００１】
〔発明の属する技術分野〕
喫煙マナー向上には教育的方策及び携帯灰皿のような喫煙具によって改善する方法等あるが、教育的方策では限界もあり得るのでより喫煙マナー向上が図れる可能性の高い喫煙具に関するものである。
【０００２】
〔従来の技術〕
喫煙マナー向上を促進する喫煙具としては携帯灰皿、それとライターと一体化したもの等あるが必ずしも十分効果が出てない、未開拓分野でもあり種類も少ない新らしい喫煙具によって技術の多様化を図る必要がある。
【０００３】
〔発明が解決しようとする課題〕
喫煙マナー違反によって生じる問題すなわち、灰・吸い殻のポイステによる火事及び街の汚れ、喫煙時の不注意による他人への身体、衣服のこげ危害等あるが一部携帯灰皿等によって改善がみられるようにより一層の改善を図ることのできる喫煙マナー向上用喫煙具の開発。
【０００４】
〔課題を解決するための手段〕
このため本発明は上記問題を解決すべく、伸縮および吸排気する着脱可能な吸い殻溜り、煙草の着脱容易なフィルタ受のあるパイプ、さらにキャップにライター收納できる構成にした、煙草をパイプ内に挿着しフィルタを直接喫煙する万年筆型携帯式の利便性の高い喫煙具を提供する。
【０００５】
〔発明の効果〕
煙草をパイプ内に収め吸い殻溜りを設けたことにより、発火部は外部に露出せず灰・吸い殻は吸い殻溜りに労せず溜り、さらに吸い殻溜りの伸縮によるコンパクト化、ライターの一体收納による使い勝手の良さ等が加味されより一層の喫煙マナーの向上が図られ問題が解消される。
【０００６】
〔発明の実施の形態〕
発明の形態を実施例にもとずき図面を参照して説明する。
図１は喫煙具全体を示し、吸い殻が図示されているがこの吸い殻がない場合は喫煙の前の状態になる。吸い殻は吸排気孔３又は、着火孔１１が閉じられ発火することなく消える。ケース１スリーブ２は吸い殻溜りを形成する。
【０００７】
吸い殻はケース１を外すことによって所定場所に捨て、さらにスリーブ２を外すと各部品の洗滌が出来清潔観が保たれる。
【０００８】
ライタケース８はパイプ４との着脱が可能で必要に応じて栓９を外してライターを取り出し、煙草に着火する。又ライターの所持忘れ等が解消される。
【０００９】
図４は喫煙状態を示し図１ライターによって着火された煙草をパイプ内に挿入フィルタ喫煙温度を下げる効果のある非金属製フィルタ受５位置決め着脱し易い針６煙草の挿入及び吸排気の役目をする挿入口７にフィルタを固定する。
【００１０】
ケース１を伸ばすことによって吸排気孔３は開き煙草は消えない、又伸ばし加減を変え煙の量を少なくして分煙を軽減することも可能になる、さらに吸い初めは伸ばし短くになるにしたがって縮めることも出来、コンパクト化にも継がる。
【００１１】
灰・吸い殻は、そのまゝケース１内に溜り、喫煙を数本繰り返した後所定の場所へ捨てる。
【００１２】
煙草の発火部はパイプ内に収められているため危害を与えることなく安心して喫煙が行なえる、したがって他人等への危害も解消される。
【００１３】
カバー１０は防熱効果を高めるプラスチック系の材質を用いることによって喫煙時の温度を下げ素手保持を可能にする。
【００１４】
図５は、図４の喫煙後を示し、ケース１は閉じられ栓９によって完全に外部としゃ断され空気の吸排気が止まり吸い殻は消える。
【００１５】
図６は煙草をパイプ４内に挿入後着火する方式の一実施例で着火孔１１を新規に設けている、吸排気孔３とも併用可能である。
又スリーブ２を外して着火することも出きる。
【００１６】
図７はライターの他の一実施例で、公知ライターの底部に栓１３を、一側面に万年筆型フック１４を一体構成にした多機能型ライターを示した図である。
【００１７】
図８は喫煙具の他の一実施例図で、パイプ１８に電池１５、スイッチ１６及び発火体１７を構成した電池による着火を示した図である。
【図面の簡単な説明】
〔図１〕は全体図を示す。
〔図２〕は図１の右側面図を示す。
〔図３〕は図４の右側面図を示す。
〔図４〕は喫煙状況を示す実施例図。
〔図５〕は喫煙後状況を示す実施例図。
〔図６〕は煙草の着火を示す実施例図。
〔図７〕はライターの他の実施例を示す実施例図。
〔図８〕は喫煙具の他の実施例を示す実施例図。
【符号の説明】
１  ケース
２  スリーブ
３  吸排気孔
４  パイプ
５  フィルタ受
６  針
７  挿入口
８  ライターケース
９  栓
１０  カバー
１１  着火孔
１２  ライター本体
１３  栓
１４  フック
１５  電池
１６  スイッチ
１７  発火体
１８  パイプ
【図１】
2004215645.tif 000003
【図２】
2004215645.tif 000004
【図３】
2004215645.tif 000005
【図４】
2004215645.tif 000006
【図５】
2004215645.tif 000007
【図６】
2004215645.tif 000008
【図７】
2004215645.tif 000009
【図８】
2004215645.tif 000010